(57)【要約】【課題】本発明は、仕上げ材を芯材に向けてスライドさせながら差し込み、テイクダウンのワンタッチで行う簡単な作業で、仕上げ材を取り付けできる建築用柱並びに壁面材のテイクダウン工法を提供する。【解決手段】予め直立に設置されているＨ鋼材からなる芯材２に、該芯材２の平行な係合横棒１に向けて仕上げ材３の垂直部分が斜め後方に傾斜している逆Ｌ字状の嵌合溝１０を横からスライドさせて突き当りで、さらに斜め下方に引き下げる作業で所定の位置まで差し込んで前記仕上げ材３を係止する。この係止により前記芯材２と前記仕上げ材３が合体状となり、同時に前記芯材２の中央面７の固定ネジ棒８が、鞘筒１８に間隔保持されつつ前記取付部材１３の中央部１２に設けた嵌合孔１４に嵌合し、ネジ止め(図示せず)して前記仕上げ材３と前記芯材２が完全に合体状となる。【選択図】図１
2020158951.tif 000002
【特許請求の範囲】
【請求項１】
水平な係合横棒を備えたＨ鋼材からなる芯材と、該芯材の前記係合横棒に取り付け固定される逆Ｌ字状の嵌合溝を備えた再生木被覆材、集成材、ＳＵＳ鋼板などからなるコ字状の仕上げ材と、前記芯材と前記仕上げ材とを合体固定する固定部材とからなり、
予め直立に設置されている芯材に、該芯材の係合横棒に向けて仕上げ材の垂直部分が斜め後方に傾斜している逆Ｌ字状の嵌合溝を横からスライドさせて突き当りで、さらに斜め下方に引き下げる作業で所定の位置まで差し込んで前記仕上げ材を係止し、
この係止により前記芯材と前記仕上げ材が合体状となり、同時に前記芯材の中央面の固定ネジ棒が、鞘筒に間隔保持されつつ前記仕上げ材の取付部材の中央部に設けた嵌合孔に嵌合し、ネジ止めして前記仕上げ材と前記芯材が完全に合体状となることを特徴とする建築用柱並びに壁面材のテイクダウン工法。
【発明の詳細な説明】
【技術分野】
【０００１】
本発明は、仕上げ材を芯材に取り付けする際に、着脱が容易な建築用柱並びに壁面材のテイクダウン工法に関する。
【背景技術】
【０００２】
従来、コストが安価であり、反りや狂いのない建築用柱並びに壁面材が知られており、内部がアルミを素材とした角筒体からなる芯材で構成し、その周囲が安定性のあるＭＤＦ（中密度繊維板）や合板によって側覆材を構成した柱材が知られている（特許文献１を参照）。
【０００３】
この公知技術は、アルミを素材とした角筒体（１）を設け、該角筒体（１）の周面に、前記角筒体（１）の軸方向と平行に係合・係止突起条（２）を適数個突出して設け、かつ前記角筒体（１）の外面には、ＭＤＦまたは合板を素材とした側覆材（３）を配置し、該側覆材（３）の前記角筒体（１）と相対する面には、前記係合・係止突起条（２）が嵌入する溝（３ａ）を設け、一端、あるいは両端をテーパ面（３ｂ）に形成した側覆材（３）に、隣接する側覆材（３）のテーパ面（３ｂ）との当接面に合成樹脂製の角部保護片（４）をさし込み固定する建築用柱の構造である。
【０００４】
この公知技術は、角筒体（１）に設けた係合・係止突起条（２）に、側覆材（３）に設けた溝（３ａ）を接着剤と共に、嵌入・固定するものであり、係合・係止突起条（２）の抜け止め突起（２ｂ）を挿入することにより、堅牢に固定されるものである。
しかしながら、何らかの不良なことで、仕上げ材に部分的に傷や破損等が発生した場合に、その箇所だけ復旧することが困難であるし、簡単に着脱できるものではなかった。
【先行技術文献】
【特許文献】
【０００５】
【特許文献１】特許第２９１６９０６号公報
【発明の概要】
【発明が解決しようとする課題】
【０００６】
本発明は、仕上げ材を芯材に向けてテイクダウンのワンタッチで行う簡単な作業で、仕上げ材を取り付けできる建築用柱並びに壁面材のテイクダウン工法を提供することを目的とする。
【課題を解決するための手段】
【０００７】
本発明の建築用柱並びに壁面材のテイクダウン工法は、水平な係合横棒を備えたＨ鋼材からなる芯材と、該芯材の前記係合横棒に取り付け固定される逆Ｌ字状の嵌合溝を備えた再生木被覆材、集成材、ＳＵＳ鋼板などからなるコ字状の仕上げ材と、前記芯材と前記仕上げ材とを合体固定する固定部材とからなり、
予め直立に設置されている芯材に、該芯材の係合横棒に向けて仕上げ材の垂直部分が斜め後方に傾斜している逆Ｌ字状の嵌合溝を横からスライドさせて突き当りで、さらに斜め下方に引き下げる作業で所定の位置まで差し込んで前記仕上げ材を係止し、
この係止により前記芯材と前記仕上げ材が合体状となり、同時に前記芯材の中央面の固定ネジ棒が、前記仕上げ材の取付部材の中央部に設けた嵌合孔に嵌合し、ネジ止めして前記仕上げ材と前記芯材が完全に合体状となる。
【発明の効果】
【０００８】
本発明の建築用柱並びに壁面材のテイクダウン工法は、仕上げ材を芯材に向けてテイクダウンの引き下げながら差し込むワンタッチで行う簡単な作業で取り付けができ、また現場内での加工が不要なことも併せて工期の短縮に繋げることができる。
本発明の建築用柱並びに壁面材のテイクダウン工法は、通常のビス・ボルト・接着などによる接合法と違い、テイクダウンの引き下げながら差し込む設置システムによって、地震等による瞬時の応力に対して、応力が逓減（ていげん）される。
本発明の建築用柱並びに壁面材のテイクダウン工法は、着脱が容易なため、何らかの不良なことで、仕上げ材に部分的に傷や破損等が発生した場合でも、その箇所だけ復旧することができる。
【図面の簡単な説明】
【０００９】
【図１】本発明の建築用柱並びに壁面材のテイクダウン工法の分解斜視図である。
【図２】本発明の建築用柱並びに壁面材のテイクダウン工法の分解斜視図である。
【図３】本発明の建築用柱並びに壁面材のテイクダウン工法の水平断面図である。
【発明を実施するための形態】
【００１０】
本発明の建築用柱並びに壁面材のテイクダウン工法に使用されるアップグレード製品を図面に基づいて、以下に説明する。
図１の分解斜視図に示すように、アップグレード製品は、水平な係合横棒１を備えたＨ鋼材からなる芯材２と、該芯材２の前記係合横棒１に取り付け固定される再生木被覆材、集成材、ＳＵＳ鋼板などからなる平板状の仕上げ材３と、前記芯材２と前記仕上げ材３とを固定する固定部材４(図３を参照)とからなる。
【００１１】
前記芯材２は、Ｈ鋼材の両端板５に跨って、前記係合横棒１の端部６が前記両端板５から突出するように水平に係合横棒１を設け、図３の水平断面図に示すように前記芯材２の中央面７に前記芯材２と前記仕上げ材３とを固定する固定部材４の固定ネジ棒８を固定する。
【００１２】
前記仕上げ材３は、図２の分解斜視図に示すように、前記芯材２の両端板５を覆うコ字状の板材９からなり、前記係合横棒１の端部６に嵌合する逆Ｌ字状の嵌合溝１０を前記板材９の内側に並行に設ける。前記逆Ｌ字状の嵌合溝１０は、垂直部分が斜め後方に傾斜している。
なお、前記仕上げ材３の内側には補強用のコ字状の金属板１１を張り付け、前記嵌合溝１０の部分には同様に金属板１１にも嵌合溝１０を形成する。
前記固定部材４は、図３に示すように、前記芯材２の中央面７に固定ネジ棒８を固定し、後述する取付部材１３と中央面７との間に前記固定ネジ棒８を嵌合する鞘筒１８を設ける。
【００１３】
そして、図２に示すように、前記金属板１１に中央部１２を突出させた取付部材１３を固定し、該取付部材１３の中央部１２に設けた嵌合孔１４に前記固定ネジ棒８を嵌合し、大口径のワッシャ(図示せず)を介してネジ止めして前記芯材２と前記仕上げ材３とを螺合固定することができる。
なお、図２の番号１５は、ネジ止め(図示せず)のための円形作業穴であり、図３の番号１６は、円形作業穴１５を塞ぐ円筒蓋である。
【００１４】
次に、本発明の建築用柱並びに壁面材のテイクダウン工法について、手順を追って説明する。
予め直立に設置されているＨ鋼材からなる芯材２に、該芯材２の係合横棒１に向けて仕上げ材３の逆Ｌ字状の嵌合溝１０を横からスライドさせて突き当りで、さらに斜め下方に引き下げる作業で所定の位置まで差し込んで前記仕上げ材３を係止する。
この係止により前記芯材２と前記仕上げ材３が合体状となり、同時に前記芯材２の中央面７の固定ネジ棒８が、鞘筒１８に間隔保持されつつ前記取付部材１３の中央部１２に設けた嵌合孔１４に嵌合し、ネジ止め(図示せず)して前記仕上げ材３と前記芯材２が完全に合体状となる。
【００１５】
そして、前記仕上げ材３を前記芯材２から剥がすためには、前記仕上げ材３の円形作業孔１５に挿入した円筒蓋１６を取り除き、ネジ止めを緩めてナット１７を取り外す。
つぎに、前記仕上げ材３を逆方向の斜め上方に引き上げ、さらに前述と逆方向へスライドさせると、前記仕上げ材３と前記芯材２は以前の分離した状態に戻る。
このようにして、前記芯材２と前記仕上げ材３の脱着作業が容易にできることになるから、何らかの事情でメンテナンスが発生しても、容易に対応できることに繋がる。
【符号の説明】
【００１６】
１  係合横棒
２  芯材
３  仕上げ材
４  固定部材
５  両端板
６  端部
７  中央面
８  固定ネジ棒
９  板材
１０  嵌合溝
１１  金属板
１２  中央部
１３  取付部材
１４  嵌合孔
１５  円形作業穴
１６  円筒蓋
１７  ナット
１８  鞘筒
【図１】
2020158951.tif 000003
【図２】
2020158951.tif 000004
【図３】
2020158951.tif 000005